(57)【要約】【課題】非使用時の収容スペースを低減し、かつ巻取り装置の構造を複雑にすることなく、凸状部の頂点が押し潰されて変形するのを防止することが可能な未加硫キャップトレッドゴム部材用巻取りライナーを提供する。【解決手段】一方の面５を幅方向両側に凸状部７、その間に底面９を平坦面にした凹状部１１を有する凹凸面に形成した帯状の未加硫キャップトレッドゴム部材３を巻き取る際に、未加硫キャップトレッドゴム部材３間に介在させる未加硫キャップトレッドゴム部材用巻取りライナー１である。帯状のライナー本体１５の幅方向中央部にライナー長手方向に沿って凸部１９が突設されている。凸部１９は未加硫キャップトレッドゴム部材３の凹凸面の凹凸高さｈより高く突出し、かつ凸部１９の頂面２１が凹状部１１の底面９に当接可能な平坦面に形成されている。【選択図】図１
2005161714.tif 000002
【特許請求の範囲】
【請求項１】
一方の面を幅方向両側に凸状部、該凸状部間に底面を平坦面にした凹状部を有する凹凸面に形成した帯状の未加硫キャップトレッドゴム部材を巻き取る際に、該未加硫キャップトレッドゴム部材間に介在させる未加硫キャップトレッドゴム部材用巻取りライナーであって、
帯状のライナー本体と該ライナー本体の前記未加硫キャップトレッドゴム部材の一方の面と対面する面の幅方向中央部にライナー長手方向に沿って突設した凸部を具備し、該凸部を前記凹凸面の凹凸高さｈより高く突出させ、かつ凸部の頂面を前記凹状部の底面に当接可能な平坦面に形成した未加硫キャップトレッドゴム部材用巻取りライナー。
【請求項２】
前記凸部をＪＩＳＡ硬度が５０〜７０の加硫ゴムから構成した請求項１に記載の未加硫キャップトレッドゴム部材用巻取りライナー。
【請求項３】
前記凸部の断面形状を矩形状にした請求項１または２に記載の未加硫キャップトレッドゴム部材用巻取りライナー。
【請求項４】
前記ライナー本体をライナー長手方向にのみ変形可能な剛性材料から構成した請求項１，２または３に記載の未加硫キャップトレッドゴム部材用巻取りライナー。
【発明の詳細な説明】
【技術分野】
【０００１】
本発明は、未加硫キャップトレッドゴム部材を巻き取る際に使用される巻取りライナーに関し、更に詳しくは、未加硫キャップトレッドゴム部材の凸状部の頂点が押し潰されて変形するのを防止するようにした未加硫キャップトレッドゴム部材用巻取りライナーに関する。
【背景技術】
【０００２】
空気入りタイヤのトレッド部を構成する未加硫ゴム部材として、例えば、ライトトラック用タイヤに使用される未加硫キャップトレッドゴム部材がある。この未加硫キャップトレッドゴム部材は、トレッド面側に配置されるキャップトレッド層が、一方の面を幅方向両側に凸状部、該凸状部間に底面を平坦面にした凹状部を有する凹凸面に形成したプロファイルを備えている。そのため、このような未加硫キャップトレッドゴム部材を通常の平坦な巻取りライナーを介して巻き取ると、凸状部の頂点が巻取りライナー及び上側に重ねられる未加硫キャップトレッドゴム部材の重量により押し潰されて変形するという不具合を生じる。
【０００３】
そこで、従来、例えば、巻取りライナーの両側に巻き取るゴム部材の肉厚より高くなるように桟を突設し、凸状部の押し潰れを防止するようにした技術が提案されている（例えば、特許文献１参照）。しかしながら、この巻取りライナーは、桟を突設した分だけ嵩張るため、非使用時に広い収容スペースが必要になるという問題があった。
【０００４】
他方、上記問題を解消した巻取りライナーとして、使用時にエアで桟となる部分を膨らませるようにした技術が提案されている（例えば、特許文献２参照）。しかし、エアを充填する機構や設備が必要になり、巻取り装置の構造が複雑になるという問題があった。
【特許文献１】特開平５−３０１３００号公報
【特許文献２】特開２０００−５３８２８２号公報
【発明の開示】
【発明が解決しようとする課題】
【０００５】
本発明の目的は、非使用時の収容スペースをできるだけ低減し、かつ巻取り装置の構造を複雑にすることなく、凸状部の頂点が押し潰されて変形するのを防止することが可能な未加硫キャップトレッドゴム部材用巻取りライナーを提供することにある。
【課題を解決するための手段】
【０００６】
上記目的を達成する本発明は、一方の面を幅方向両側に凸状部、該凸状部間に底面を平坦面にした凹状部を有する凹凸面に形成した帯状の未加硫キャップトレッドゴム部材を巻き取る際に、該未加硫キャップトレッドゴム部材間に介在させる未加硫キャップトレッドゴム部材用巻取りライナーであって、帯状のライナー本体と該ライナー本体の前記未加硫キャップトレッドゴム部材の一方の面と対面する面の幅方向中央部にライナー長手方向に沿って突設した凸部を具備し、該凸部を前記凹凸面の凹凸高さｈより高く突出させ、かつ凸部の頂面を前記凹状部の底面に当接可能な平坦面に形成したことを特徴とする。
【発明の効果】
【０００７】
上述した本発明によれば、巻き取った未加硫キャップトレッドゴム部材間に巻取りライナーを介在させた際に、凹状部の底面に当接する凸部によりライナー本体を未加硫キャップトレッドゴム部材の凸状部から離間させることができるので、凸状部の頂点がライナー本体に接触して押し潰されることがなく、従って凸状部の頂点の変形を防止することができる。
【０００８】
非使用時には、凸部が従来の桟を設けたものより突出する高さが低くなるので、収容スペースを削減することができ、またライナー本体に凸部を設けるだけでよいので、巻取り装置の構造が複雑になるという問題を招くこともない。
【発明を実施するための最良の形態】
【０００９】
以下、本発明の実施の形態について添付の図面を参照しながら詳細に説明する。
【００１０】
図１は、本発明の未加硫キャップトレッドゴム部材用巻取りライナーの一例を巻き取られた未加硫キャップトレッドゴム部材に介在させた状態で示す断面図であり、１は未加硫キャップトレッドゴム部材用巻取りライナー、３は帯状の未加硫キャップトレッドゴム部材である。
【００１１】
未加硫キャップトレッドゴム部材３は、ライトトラック用タイヤなどに使用されるものを示し、一方の面５が幅方向両側に凸状部７、その凸状部７間に底面９を平坦面にした凹状部１１を有する凹凸面に形成されている。他方の面１３は、断面直線状の平坦面になっている。
【００１２】
巻取りライナー１は、帯状の未加硫キャップトレッドゴム部材３を巻き取る際に、未加硫キャップトレッドゴム部材３間に図示するように介在させるものであり、帯状のライナー本体１５と、ライナー本体１５の未加硫キャップトレッドゴム部材３の一方の面５と対面する面１７の幅方向中央部にライナー長手方向に沿って突設した凸部１９を具備している。
【００１３】
ライナー本体１５は、硬質樹脂や金属などの剛性材料からなり、幅方向には変形せずにライナー長手方向にのみ変形可能に構成され、巻き取られた未加硫キャップトレッドゴム部材３に沿って長手方向に変形できるようにしている。剛性材料に使用される硬質樹脂としては、例えば、ポリエチレンなどを好ましく挙げることができる。金属としては、鉄やアルミニウムなどを好ましく使用することができる。
【００１４】
凸部１９は、断面形状が矩形状に形成され、凹凸面の凹凸高さｈより高く突出している。凸部１９の頂面２１は平坦面に形成され、未加硫キャップトレッドゴム部材３の凹状部１１の平坦な底面９と当接するようになっている。
【００１５】
凸部１９を構成する材料としては、例えば、加硫ゴムを好ましく挙げることができる。加硫ゴムは、好ましくはＪＩＳＡ硬度が５０〜７０のものを使用するのがよい。硬度が５０より小さいと、柔らか過ぎて凸部１９が使用時に圧縮変形するため、未加硫キャップトレッドゴム部材３の凸状部７にライナー本体１５が接触し、凸状部７の頂点を押し潰す危険があるので好ましくない。硬度が７０を超えると、巻取りライナー１が長手方向に曲げ難くなる。
【００１６】
凸部１９の高さＨとしては、未加硫キャップトレッドゴム部材３のサイズに応じて適宜選択されるが、現在使用される範囲では３〜１０mm程度にすることができる。
【００１７】
凸部１９の幅Ｗとしては、少なくとも３０mm以上確保するのがよい。３０mm未満であると、凸部１９が未加硫キャップトレッドゴム部材３の凹状部１１の底面９内に食い込み、その結果、未加硫キャップトレッドゴム部材３の凸状部７にライナー本体１５が接触する恐れがあり、また食い込みによる変形が大きくなり好ましくない。望ましくは、５０mm以上、より望ましくは底面９の全幅にわたるようにするのがよい。
【００１８】
上述した本発明では、ライナー本体１５に未加硫キャップトレッドゴム部材３の凹凸面の凹凸高さｈより高く突出した凸部１９をライナー長手方向に沿って設け、その凸部１９の頂面２１を平坦面にして凹状部１１の底面９に当接させるようにしたので、図１に示すように、巻き取った未加硫キャップトレッドゴム部材３間に巻取りライナー１を介在させた際に、ライナー本体１５を未加硫キャップトレッドゴム部材３の凸状部７から離間させることができる。そのため、凸状部７の頂点がライナー本体１５により押し潰されて変形することがない。
【００１９】
非使用時には、凸部１９が従来の桟構造のものより突出量が小さいので、収容スペースを低減することができ、かつライナー本体１５に凸部１９を設けるだけでよいので、巻取り装置の構造を複雑にすることがない。
【００２０】
本発明において、上記実施形態では、未加硫キャップトレッドゴム部材３が、内側に配置されるアンダートレッド層と、トレッド面側に配置され、一方（トレッド面側）の面を幅方向両側に凸状部、該凸状部間に底面を平坦面にした凹状部を有する凹凸面に形成したキャップトレッド層を貼り合わせて一体的にした構造のものを示したが、一方の面を幅方向両側に凸状部、該凸状部間に底面を平坦面にした凹状部を有する凹凸面に形成した帯状のキャップトレッド層のみからなるもの、あるいはアンダートレッド層とキャップトレッド層とを貼り合わせたものに更に他のゴム層を貼り合わせて一体的にした構造し、一方の面を幅方向両側に凸状部、該凸状部間に底面を平坦面にした凹状部を有する凹凸面に形成したものも、本発明の未加硫キャップトレッドゴム部材３に含まれるものとする。
【図面の簡単な説明】
【００２１】
【図１】本発明の未加硫キャップトレッドゴム部材用巻取りライナーの一例を巻き取られた未加硫キャップトレッドゴム部材に介在させた状態で示す要部断面図である。
【符号の説明】
【００２２】
１  未加硫キャップトレッドゴム部材用巻取りライナー
３  未加硫キャップトレッドゴム部材
５  一方の面
７  凸状部
９  底面
１１  凹状部
１５  ライナー本体
１７  面
１９  凸部
２１  頂面
Ｈ，ｈ  高さ
Ｗ  幅  
【図１】
2005161714.tif 000003